【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
ＭＰＥＧ（Moving Picture Experts Group）２−ＴＳ（Transport Stream）を用いて多重化された画像信号および音声信号を他の情報処理装置から受信する通信部と、
音声データ量を削減するように前記他の情報処理装置に依頼を行い、当該依頼後に前記他の情報処理装置から受信するＭＰＥＧ２−ＴＳ多重信号について第１の音声データ削減方法が適用された音声データの多重分離を行う場合に、ＰＭＴ（program map table）に記載される音声データ伝送を指定するＰＩＤ（packet identifier）で指定されるＴＳ（Transport）  ｐａｃｋｅｔに格納されるＰＥＳ（packetized elementary stream）  ｐａｃｋｅｔのうち、ＰＥＳのＰａｙｌｏａｄに含まれるデータを廃棄し、かつ、ＰＥＳ  ｈｅａｄｅｒ部分に含まれるＰＴＳ（presentation time stamp）を取り出すように制御する制御部と
を具備する情報処理装置。
【請求項２】
前記制御部は、第１のトリガに基づいて前記他の情報処理装置に前記依頼を行う請求項１記載の情報処理装置。
【請求項３】
前記制御部は、前記他の情報処理装置に前記依頼を行う場合に、前記音声データを運ぶＰＥＳ  ｐａｃｋｅｔを含むＭＰＥＧ２−ＴＳ多重信号を生成して送信する前記第１の音声データ削減方法と、前記音声データを運ぶＰＥＳ  ｐａｃｋｅｔを含まないＭＰＥＧ２−ＴＳ多重信号を生成して送信する第２の音声データ削減方法との何れかを指定する請求項１または２に記載の情報処理装置。
【請求項４】
前記制御部は、前記音声データ量が削減されたＭＰＥＧ２−ＴＳ多重信号を受信している際に、第２のトリガに基づいて、前記音声データ量を元に戻すように前記他の情報処理装置に依頼を行い、当該依頼後に前記他の情報処理装置から受信するＭＰＥＧ２−ＴＳ多重信号について多重分離を行う場合に、前記ＰＥＳのＰａｙｌｏａｄに含まれる音声データを取り出すように制御する請求項１から３のいずれかに記載の情報処理装置。
【請求項５】
前記第１のトリガおよび前記第２のトリガは、ユーザ操作に起因する請求項４記載の情報処理装置。
【請求項６】
前記第１のトリガは、前記情報処理装置の周囲に存在するユーザまたはユーザの動きを検出したことに起因する請求項２記載の情報処理装置。
【請求項７】
前記制御部は、前記依頼を行う前に出力されていた音声の音量設定値を保持しておき、前記音声データ量を元に戻すように前記他の情報処理装置に依頼を行い、当該依頼後に前記ＰＥＳのＰａｙｌｏａｄに含まれる音声データを取り出すタイミングで前記保持された音量設定値を設定する請求項１から６のいずれかに記載の情報処理装置。
【請求項８】
ＭＰＥＧ２−ＴＳを用いて多重化された画像信号および音声信号を他の情報処理装置に無線伝送する通信部と、
前記他の情報処理装置からの依頼に基づいて、ＰＭＴに記載される音声データ伝送を指定するＰＩＤは変えずに、前記ＰＩＤで指定されるＴＳ  ｐａｃｋｅｔに格納されるＰＥＳ  ｐａｃｋｅｔのうち、ＰＥＳのＰａｙｌｏａｄのデータ量を削減し、かつ、ＰＥＳ  ｈｅａｄｅｒ部分にＰＴＳを含むＰＥＳ  ｐａｃｋｅｔを生成する第１の音声データ削減を行い、前記データ量が削減された音声信号伝送用のＰＥＳ  ｐａｃｋｅｔと画像信号伝送用のＰＥＳ  ｐａｃｋｅｔとを多重して送信する制御を行う制御部と
を具備する情報処理装置。
【請求項９】
前記制御部は、前記他の情報処理装置から音声データ量を削減するように依頼された際に、前記ＰＥＳのＰａｙｌｏａｄのデータ量を略ゼロ、または、完全にゼロにすることにより、当該データ量を削減する制御を行う請求項８記載の情報処理装置。
【請求項１０】
前記制御部は、前記第１の音声データ削減によりデータ量が削減された音声信号伝送用のＰＥＳ  ｐａｃｋｅｔと前記画像信号伝送用のＰＥＳ  ｐａｃｋｅｔとを多重して送信している場合に、前記他の情報処理装置から音声データ量を元に戻すように依頼されたときには、前記ＰＥＳ  Ｐａｙｌｏａｄに通常の音声データを格納し、前記音声信号伝送用のＰＥＳ  ｐａｃｋｅｔと前記画像信号伝送用のＰＥＳ  ｐａｃｋｅｔとを多重して送信する制御を行う請求項８または９に記載の情報処理装置。
【請求項１１】
前記制御部は、前記他の情報処理装置から音声データ量を削減するように依頼された際に、前記第１の音声データ削減以外の音声データ削減を用いることを依頼された場合には、前記ＰＭＴに音声データを指定する前記ＰＩＤの情報を含めず、音声データを運ぶＰＥＳ  ｐａｃｋｅｔを生成しない第２の音声データ削減を行い、音声信号伝送用のＰＥＳ  ｐａｃｋｅｔを多重せずに、画像信号伝送用のＰＥＳ  ｐａｃｋｅｔを送信する制御を行う請求項８記載の情報処理装置。
【請求項１２】
前記第２の音声データ削減を行い、音声信号伝送用のＰＥＳ  ｐａｃｋｅｔを多重せずに画像信号伝送用のＰＥＳ  ｐａｃｋｅｔを送信している場合に、前記他の情報処理装置から音声データ量を元に戻すように依頼されたときには、前記ＰＭＴに音声データ伝送を指定する前記ＰＩＤを含め、前記ＰＥＳ  Ｐａｙｌｏａｄに通常の音声データを格納し、前記音声信号伝送用のＰＥＳ  ｐａｃｋｅｔと前記画像信号伝送用のＰＥＳ  ｐａｃｋｅｔとを多重して送信する制御を行う請求項１１記載の情報処理装置。
【請求項１３】
ＭＰＥＧ２−ＴＳを用いて多重化された画像信号および音声信号を第２の情報処理装置に無線伝送し、前記第２の情報処理装置からの依頼に基づいて、ＰＭＴに記載される音声データ伝送を指定するＰＩＤは変えずに、前記ＰＩＤで指定されるＴＳ  ｐａｃｋｅｔに格納されるＰＥＳ  ｐａｃｋｅｔのうち、ＰＥＳのＰａｙｌｏａｄのデータ量を削減し、かつ、ＰＥＳ  ｈｅａｄｅｒ部分にＰＴＳを含むＰＥＳ  ｐａｃｋｅｔを生成する第１の音声データ削減を行い、前記データ量が削減された音声信号伝送用のＰＥＳ  ｐａｃｋｅｔと画像信号伝送用のＰＥＳ  ｐａｃｋｅｔとを多重して送信する第１の情報処理装置と、
ＭＰＥＧ２−ＴＳを用いて多重化された画像信号および音声信号を前記第１の情報処理装置から受信している場合に、音声データ量を削減するように前記第１の情報処理装置に依頼を行い、当該依頼後に前記第１の情報処理装置から受信するＭＰＥＧ２−ＴＳ多重信号について多重分離を行う場合に、ＰＭＴに記載される音声データ伝送を指定するＰＩＤで指定されるＴＳ  ｐａｃｋｅｔに格納されるＰＥＳ  ｐａｃｋｅｔのうち、ＰＥＳのＰａｙｌｏａｄに含まれるデータを廃棄し、かつ、ＰＥＳ  ｈｅａｄｅｒ部分に含まれるＰＴＳを取り出す第２の情報処理装置と
を具備する通信システム。
【請求項１４】
ＭＰＥＧ２−ＴＳを用いて多重化された画像信号および音声信号を他の情報処理装置から受信する通信手順と、
音声データ量を削減するように前記他の情報処理装置に依頼を行い、当該依頼後に前記他の情報処理装置から受信するＭＰＥＧ２−ＴＳ多重信号について多重分離を行う場合に、ＰＭＴ（program map table）に記載される音声データ伝送を指定するＰＩＤ（packet identifier）で指定されるＴＳ（Transport）  ｐａｃｋｅｔに格納されるＰＥＳ（packetized elementary stream）  ｐａｃｋｅｔのうち、ＰＥＳのＰａｙｌｏａｄに含まれるデータを廃棄し、かつ、ＰＥＳ  ｈｅａｄｅｒ部分に含まれるＰＴＳ（presentation time stamp）を取り出す制御手順と
を具備する情報処理方法。
【請求項１５】
ＭＰＥＧ２−ＴＳを用いて多重化された画像信号および音声信号を他の情報処理装置に無線伝送する通信手順と、
前記他の情報処理装置からの依頼に基づいて、ＰＭＴに記載される音声データ伝送を指定するＰＩＤは変えずに、前記ＰＩＤで指定されるＴＳ  ｐａｃｋｅｔに格納されるＰＥＳ  ｐａｃｋｅｔのうち、ＰＥＳのＰａｙｌｏａｄのデータ量を削減し、かつ、ＰＥＳ  ｈｅａｄｅｒ部分にＰＴＳを含むＰＥＳ  ｐａｃｋｅｔを生成する第１の音声データ削減を行い、前記データ量が削減された音声信号伝送用のＰＥＳ  ｐａｃｋｅｔと画像信号伝送用のＰＥＳ  ｐａｃｋｅｔとを多重して送信する制御手順と
を具備する情報処理方法。
【請求項１６】
ＭＰＥＧ２−ＴＳを用いて多重化された画像信号および音声信号を他の情報処理装置から受信する通信手順と、
音声データ量を削減するように前記他の情報処理装置に依頼を行い、当該依頼後に前記他の情報処理装置から受信するＭＰＥＧ２−ＴＳ多重信号について多重分離を行う場合に、ＰＭＴ（program map table）に記載される音声データ伝送を指定するＰＩＤ（packet identifier）で指定されるＴＳ（Transport）  ｐａｃｋｅｔに格納されるＰＥＳ（packetized elementary stream）  ｐａｃｋｅｔのうち、ＰＥＳのＰａｙｌｏａｄに含まれるデータを廃棄し、かつ、ＰＥＳ  ｈｅａｄｅｒ部分に含まれるＰＴＳ（presentation time stamp）を取り出す制御手順と
をコンピュータに実行させるプログラム。
【請求項１７】
ＭＰＥＧ２−ＴＳを用いて多重化された画像信号および音声信号を他の情報処理装置に無線伝送する通信手順と、
前記他の情報処理装置からの依頼に基づいて、ＰＭＴに記載される音声データ伝送を指定するＰＩＤは変えずに、前記ＰＩＤで指定されるＴＳ  ｐａｃｋｅｔに格納されるＰＥＳ  ｐａｃｋｅｔのうち、ＰＥＳのＰａｙｌｏａｄのデータ量を削減し、かつ、ＰＥＳ  ｈｅａｄｅｒ部分にＰＴＳを含むＰＥＳ  ｐａｃｋｅｔを生成する第１の音声データ削減を行い、前記データ量が削減された音声信号伝送用のＰＥＳ  ｐａｃｋｅｔと画像信号伝送用のＰＥＳ  ｐａｃｋｅｔとを多重して送信する制御手順と
をコンピュータに実行させるプログラム。